(57)【要約】【課題】乗場表示装置にエレベータのかご位置情報とエレベータの使用不可情報とを交互に繰り返すことにより、保守技術員には必要なかご位置情報を提供し、一般の乗客には使用できないことを知らせるエレベータの乗場表示装置を得る。【解決手段】乗場に設けられ、かご位置表示部２９を有する乗場表示装置１７を備えたものにおいて、乗場表示装置のかご位置表示部は、エレベータの使用を制限する運転状態の時に、一般の乗客に使用できないことを知らせるための使用不可表示と、保守技術者にかご位置を知らせるためのかご位置情報と、を交互に繰り返し表示する。【選択図】図４
2008074503.tif 000002
【特許請求の範囲】
【請求項１】
乗場に設けられ、かご位置表示部を有する乗場表示装置を備えたエレベータの乗場表示装置において、
前記乗場表示装置のかご位置表示部は、エレベータの使用を制限する運転状態の時に、一般の乗客に使用できないことを知らせるための使用不可表示と、保守技術者にかご位置を知らせるためのかご位置情報と、を交互に繰り返し表示することを特徴とするエレベータの乗場表示装置。
【請求項２】
乗場に設けられた乗場操作盤と、
前記乗場操作盤に設けられ、かご位置表示部を有する乗場表示装置と、
前記乗場操作盤に設けられ、上下方向の乗場呼び釦を有する乗場呼び装置と、を備えたエレベータの乗場操作盤装置において、
前記乗場表示装置のかご位置表示部は、エレベータの使用を制限する運転状態の時に、一般の乗客に使用できないことを知らせるための使用不可表示と、保守技術者にかご位置を知らせるためのかご位置情報と、を交互に繰り返し表示することを特徴とするエレベータの乗場操作盤装置。
【請求項３】
乗場呼び装置の乗場呼び釦は、エレベータの使用を制限する運転状態の時に点滅させることを特徴とする請求項２記載のエレベータの乗場操作盤装置。
【請求項４】
乗場呼び装置の乗場呼び釦は、エレベータの使用を制限する運転状態の時に特殊操作することにより、ドア制御装置を戸開動作させることを特徴とする請求項２記載のエレベータの乗場操作盤装置。
【請求項５】
エレベータの使用を制限する運転状態の時に、乗場呼び装置の乗場呼び釦を操作すると、使用できない旨を知らせるアナウンスを鳴動することを特徴とする請求項２記載のエレベータの乗場操作盤装置。
【請求項６】
エレベータの使用を制限する運転状態の時に、乗場表示装置のかご位置表示部及び乗場呼び装置の乗場呼び釦の表示色を変えることを特徴とする請求項２記載のエレベータの乗場操作盤装置。
【発明の詳細な説明】
【技術分野】
【０００１】
この発明は、エレベータの乗場表示装置及び乗場操作盤装置に関するものである。
【背景技術】
【０００２】
従来、地震や火災、その他によるエレベータの使用を制限する運転状態が発生した場合、エレベータの乗場表示装置には、かご位置や運転方向等の情報が表示されていたり、あるいは表示されていなかったりすることがある。
【０００３】
また、保守員がエレベータを点検中であることを一般の乗客に知らせるための従来技術として、乗場表示器に「点検中」である旨の文字表示を行うものが知られている(例えば、特許文献１、２参照)。
【０００４】
【特許文献１】特開２００３−３３５４７５号公報
【特許文献２】特開２００４−１８２４３１号公報
【発明の開示】
【発明が解決しようとする課題】
【０００５】
従来のエレベータの乗場表示装置では、かご位置や運転方向等の情報が表示されていたり、あるいは表示されていなかったりするので、もし表示されている場合は、一般の乗客はエレベータを使用できると認識してしまう恐れがあり、また、表示されていない場合は、保守技術員はビルに到着しても、かご位置情報を知るすべが無いという問題がある。
【０００６】
また、従来技術のように、乗場表示器に「点検中」の文字表示を行うものでは、地震等の災害時までは考慮されておらず、また複数の目的に対する表示でもない。
【０００７】
この発明は、上述のような課題を解決するためになされたもので、乗場表示装置にエレベータのかご位置情報とエレベータの使用不可情報とを一定周期毎に交互に繰り返すことにより、保守技術員には必要なかご位置情報を提供し、一般の乗客には使用できないことを知らせるエレベータの乗場表示装置を提供するものである。
【課題を解決するための手段】
【０００８】
この発明に係るエレベータの乗場表示装置においては、乗場に設けられ、かご位置表示部を有する乗場表示装置を備えたものにおいて、乗場表示装置のかご位置表示部は、エレベータの使用を制限する運転状態の時に、一般の乗客に使用できないことを知らせるための使用不可表示と、保守技術者にかご位置を知らせるためのかご位置情報と、を交互に繰り返し表示するものである。
【０００９】
また、この発明に係るエレベータの乗場操作盤装置においては、乗場に設けられた乗場操作盤と、乗場操作盤に設けられ、かご位置表示部を有する乗場表示装置と、乗場操作盤に設けられ、上下方向の乗場呼び釦を有する乗場呼び装置とを備えたものにおいて、乗場表示装置のかご位置表示部は、エレベータの使用を制限する運転状態の時に、一般の乗客に使用できないことを知らせるための使用不可表示と、保守技術者にかご位置を知らせるためのかご位置情報と、を交互に繰り返し表示するものである。
【発明の効果】
【００１０】
この発明によれば、乗場表示装置のかご位置表示部に、一般の乗客にエレベータが使用できないことを知らせるための使用不可表示と、保守技術員にかご位置を知らせるためのかご位置情報とを交互に繰り返し表示しているので、保守技術員には必要なかご位置情報を提供し、一般の乗客には使用できないことを知らせることができる。
【発明を実施するための最良の形態】
【００１１】
実施の形態１．
図１はこの発明の実施の形態１におけるエレベータの乗場表示装置の概略構成を示すシステム構成図、図２はこの発明の実施の形態１におけるエレベータの乗場表示装置の概略構成を示すブロック構成図、図３はこの発明の実施の形態１におけるエレベータの乗場表示装置を備えた乗場操作盤の正面図、図４は図３における乗場操作盤の乗場表示装置の繰り返し表示を示す動作説明図である。
【００１２】
図１において、１はエレベータの制御盤、２は制御盤１に設けられたエレベータの運転を制御するエレベータ制御装置、３は制御盤１に設けられたシリアル−パラレル変換装置、４はエレベータ制御装置２に設けられたエレベータ制御回路、５はエレベータ制御装置２に設けられた伝送インターフェース、６は伝送インターフェース５に接続されたかご伝送線、７は伝送インターフェース５に接続された乗場伝送線、８はエレベータに設置され、シリアル−パラレル変換装置３に接続されたＳ波（主要動）地震感知器、９はエレベータに設置され、シリアル−パラレル変換装置３に接続されたＰ波（初期微動）地震感知器、１０は緊急地震速報をインターネット１１、インターネットサービスプロバイダ１２を介して受信する地震情報受信装置、１３は地震情報受信装置１０とエレベータ制御回路４を接続する第１の伝送路、１４はシリアル−パラレル変換装置３と伝送インターフェース５を接続する第２の伝送路、１５はエレベータのかごに設けられ、かご伝送線６に接続されたかご操作盤、１６はエレベータのかごに設けられ、かご伝送線６に接続されたドア制御装置、１７は乗場操作盤１８に設けられ、乗場伝送線７に接続された乗場表示装置、１９は乗場操作盤１８に設けられ、乗場伝送線７に接続された乗場呼び登録装置、２０はエレベータの各乗場に設けられ、乗場伝送線７に接続されたアナウンス装置である。
【００１３】
図２はブロック構成図である。エレベータ制御回路４は、第１伝送路１３ａ、２Ｐ−ＲＡＭ２１ａ、ＲＡＭ２２ａ、ＲＯＭ２３ａ等を備えている。伝送インターフェース５は、第２伝送路１４ａ、乗場伝送７ａ、かご伝送６ａ、２Ｐ−ＲＡＭ２１ｂ、ＲＡＭ２２ｂ、ＲＯＭ２３ｂ等を備えている。シリアル−パラレル変換装置３は、第２伝送路１４ｂ、Ｓ波地震感知器とＰ波地震感知器の入力ポート２４、出力ポート２５、ＲＡＭ２２ｃ、ＲＯＭ２３ｃ等を備えている。乗場操作盤１８（乗場表示装置１７、乗場呼び装置１９）は、乗場伝送７ｂ、入力ポート（釦）２６ａ、出力ポート（乗場表示、釦灯）２７ａ、ＲＡＭ２２ｄ、ＲＯＭ２３ｄ等を備えている。アナウンス装置２０は、乗場伝送７ｃ、入力ポート（釦）２６ｂ、出力ポート（アナウンス）２７ｂ、ＲＡＭ２２ｅ、ＲＯＭ２３ｅ等を備えている。
【００１４】
この発明による乗場操作盤１８は、図３に示すように、その上半部には乗場表示装置１７が設けられ、上から順に運転方向表示部２８、かご位置表示部２９、休止・満員表示部３０が設けられている。また、乗場操作盤１８の下半部には乗場呼び装置１９が設けられ、上方向乗場呼び釦３１と下方向乗場呼び釦３２が設けられている。
図４はエレベータの使用を制限する運転状態（例えば地震等の災害運転時）であることを知らせるための表示例を示すものである。図４では、乗場表示装置１７のかご位置表示部２９に、一般の乗客にエレベータが使用できないことを知らせるための使用不可表示（×表示）と、保守技術員にかご位置を知らせるためのかご位置情報（階床表示）を一定周期毎に交互に繰り返し表示している。なお、一般の乗客にエレベータが使用できないことを知らせるための使用不可表示としては、「テンケンチュウ」などの文字をかご位置表示部２９にスクロール表示するようにしても良い。また、上記のようにエレベータの使用を制限する状態で、乗場呼び釦３１又は３２が操作されると、アナウンス装置２０により、使用できない旨を知らせるアナウンスを鳴動させるようにしている。
【００１５】
実施の形態１によれば、乗場表示装置１７のかご位置表示部２９に、一般の乗客にエレベータが使用できないことを知らせるための使用不可表示と、保守技術員にかご位置を知らせるためのかご位置情報（階床表示）を一定周期毎に交互に繰り返し表示しているので、保守技術員には必要なかご位置情報を提供し、一般の乗客には使用できないことを知らせることができる。
【００１６】
実施の形態２．
図５はこの発明の実施の形態２におけるエレベータの乗場表示装置の繰り返し表示を示す動作説明図である。
上記実施の形態１では、乗場表示装置１７のかご位置表示部２９に、一般の乗客にエレベータが使用できないことを知らせるための使用不可表示と、保守技術員にかご位置を知らせるためのかご位置情報（階床表示）を一定周期毎に交互に繰り返し表示しているが、この実施の形態２においては、それに加えて、更に乗場呼び装置１９の上方向乗場呼び釦３１の釦灯と下方向乗場呼び釦３２の釦灯を交互に点滅させるようにしたものである。なお、上方向乗場呼び釦３１の釦灯と下方向乗場呼び釦３２の釦灯は、交互ではなく同時に点滅させるようにしても良いし、乗場表示装置１７に連動させても、連動させなくても良い。また、点滅周期も自由に選択できる。更にまた、乗場表示装置１７のかご位置表示部２９の表示色を変えたり、上方向乗場呼び釦３１の釦灯と下方向乗場呼び釦３２の釦灯の表示色を変えることにより、通常運転ではないことを強調することができる。
【００１７】
実施の形態３．
図６はこの発明の実施の形態３におけるエレベータの乗場表示装置の概略構成を示すブロック構成図である。
上記実施の形態１では、アナウンス装置２０を乗場操作盤１８とは別体に設けたが、この実施の形態３においては、乗場操作盤１８は、乗場表示装置１７及び乗場呼び装置１９に加えて、アナウンス装置２０を一体に設けたアナウンス装置内蔵型乗場操作盤であり、出力ポート（乗場表示、釦灯、アナウンス）２７ｃを備えている。
【００１８】
実施の形態４．
図７はこの発明の実施の形態４におけるエレベータの乗場表示装置の概略構成を示すブロック構成図である。
この実施の形態４においては、上記実施の形態３の構成に加えて、ドア制御装置１６を設けたものである。このドア制御装置１６は、かご伝送６ｂ、入力ポート３３、出力ポート（戸開閉）３４、ＲＡＭ２２ｆ、ＲＯＭ２３ｆ等を備えている。
この実施の形態４によれば、特定階で、乗場呼び釦３１又は３２を特殊操作すると、ドア制御装置１６の動作により戸開させることができ、閉じ込められた乗客を助け出すことができる。
【図面の簡単な説明】
【００１９】
【図１】この発明の実施の形態１におけるエレベータの乗場表示装置の概略構成を示すシステム構成図である。
【図２】この発明の実施の形態１におけるエレベータの乗場表示装置の概略構成を示すブロック構成図である。
【図３】この発明の実施の形態１におけるエレベータの乗場表示装置を備えた乗場操作盤の正面図である。
【図４】図３における乗場操作盤の乗場表示装置の繰り返し表示を示す動作説明図である。
【図５】この発明の実施の形態２におけるエレベータの乗場表示装置の繰り返し表示を示す動作説明図である。
【図６】この発明の実施の形態３におけるエレベータの乗場表示装置の概略構成を示すブロック構成図である。
【図７】この発明の実施の形態４におけるエレベータの乗場表示装置の概略構成を示すブロック構成図である。
【符号の説明】
【００２０】
１  制御盤
２  エレベータ制御装置
３  シリアル−パラレル変換装置
４  エレベータ制御回路
５  伝送インターフェース
６  かご伝送線
７  乗場伝送線
８  Ｓ波地震感知器
９  Ｐ波地震感知器
１０  地震情報受信装置
１１  インターネット
１２  インターネットサービスプロバイダ
１３  第１の伝送路
１４  第２の伝送路
１５  かご操作盤
１６  ドア制御装置
１７  乗場表示装置
１８  乗場操作盤
１９  乗場呼び登録装置
２０  アナウンス装置
２１  ２Ｐ−ＲＡＭ
２２  ＲＡＭ
２３  ＲＯＭ
２４  入力ポート（地震Ｓ波、Ｐ波）
２５  出力ポート
２６  入力ポート
２７  出力ポート
２８  運転方向表示部
２９  かご位置表示部
３０  休止・満員表示部
３１  上方向乗場呼び釦
３２  下方向乗場呼び釦
【図１】
2008074503.tif 000003
【図２】
2008074503.tif 000004
【図３】
2008074503.tif 000005
【図４】
2008074503.tif 000006
【図５】
2008074503.tif 000007
【図６】
2008074503.tif 000008
【図７】
2008074503.tif 000009